(57)【要約】      （修正有）【課題】ユーザー自身の美的感覚を刺激し所有欲を掻き立てると共に、周囲に対しユーザーの美的感覚の高さをアピールすることができる携帯情報端末用ケースを提供する。【解決手段】ケース本体は、携帯情報端末における表示装置設置面の裏側に位置し、ケース本体表面１２０には、複数の人工宝石１３０が表面を覆うように設置される。ケース本体表面は略長方形を成し、各人工宝石正面が、前記長方形の一の短辺方向、かつ、ケース本体表面の斜め上方を向くように設置される。【選択図】図２
0003184843.tif 000002
【実用新案登録請求の範囲】
【請求項１】
携帯情報端末における表示装置設置面以外の面を覆う携帯情報端末用ケース本体を有する携帯情報端末用ケースであって、
前記表示装置設置面の裏側に位置する前記携帯情報端末用ケース本体表面には、複数の人工宝石が該表面を覆うように設置され、
前記携帯情報端末用ケース本体表面が略長方形を成し、
各前記人工宝石正面が、前記長方形の一の短辺方向を向き、かつ、前記携帯情報端末用ケース本体表面の斜め上方を向くように設置されることを特徴とする携帯情報端末用ケース。
【請求項２】
前記各人工宝石正面の形状が備える対称軸が、前記長方形の長手方向に対し傾いていることを特徴とする請求項１に記載の携帯情報端末用ケース。
【請求項３】
隣り合って設置される前記人工宝石どうしが、大きさ、色彩及び形状のうち何れかが異なることを特徴とする請求項２に記載の携帯情報端末用ケース。
【請求項４】
前記人工宝石が樹脂製であることを特徴とする請求項３に記載の携帯情報端末用ケース。
【考案の詳細な説明】
【技術分野】
【０００１】
スマートフォンなど携帯情報端末を覆う携帯情報端末用ケースの技術に関する。
【背景技術】
【０００２】
スマートフォンなど携帯情報端末を覆う携帯情報端末用ケースは、携帯情報端末を衝撃から保護したり防水の機能を果たしたりするだけではない。近年携帯情報端末用ケースは、そのデザインに基づいてユーザー自身の美的感覚を刺激するものであり、さらには、ユーザーの美的感覚を周囲にアピールするもの、つまりファッションの一部となっている。
【考案の概要】
【考案が解決しようとする課題】
【０００３】
そこで本考案では、ユーザー自身の美的感覚を刺激し所有欲を掻き立てると共に、所有することで、周囲に対しユーザーの美的感覚の高さをアピールすることができる携帯情報端末用ケースを提供することを目的とする。
【課題を解決するための手段】
【０００４】
開示する携帯情報端末用ケースの一形態は、携帯情報端末における表示装置設置面以外の面を覆う携帯情報端末用ケース本体を有する携帯情報端末用ケースであって、前記表示装置設置面の裏側に位置する前記携帯情報端末用ケース本体表面には、複数の人工宝石が該表面を覆うように設置され、前記携帯情報端末用ケース本体表面が略長方形を成し、各前記人工宝石正面が、前記長方形の一の短辺方向を向き、かつ、前記携帯情報端末用ケース本体表面の斜め上方を向くように設置されることを特徴とする。
【０００５】
また、開示する携帯情報端末用ケースの一形態は、上記構成に加え、前記各人工宝石正面の形状が備える対称軸が、前記長方形の長手方向に対し傾いていることを特徴とする。
【０００６】
また、開示する携帯情報端末用ケースの一形態は、上記構成に加え、隣り合って設置される前記人工宝石どうしが、大きさ、色彩及び形状のうち何れかが異なることを特徴とする。
また、開示する携帯情報端末用ケースの一形態は、上記構成に加え、前記人工宝石が樹脂製であることを特徴とする。
【考案の効果】
【０００７】
開示する携帯情報端末用ケースは、ユーザー自身の美的感覚を刺激し所有欲を掻き立てると共に、所有することで、周囲に対しユーザーの美的感覚の高さをアピールすることができる。
【図面の簡単な説明】
【０００８】
【図１】本実施の形態に係る携帯情報端末の一例を示す図である。
【図２】本実施の形態に係る携帯情報端末用ケースの斜視図である。
【図３】本実施の形態に係る携帯情報端末用ケースの側面図である。
【考案を実施するための形態】
【０００９】
図面を参照しながら、本考案を実施するための形態について説明する。
（本実施の形態に係る携帯情報端末用ケースの構造）
【００１０】
図１乃至３を用いて、本実施の形態に係る携帯情報端末用ケース（以下、単に「ケース」という。）１００の構造について説明する。図１は、ケース１００を装着する携帯情報端末（以下、単に「端末」という。）２００の一例を示す図である。図２は、ケース１００の斜視図であり、図３は、ケース１００の側面図である。
【００１１】
ケース１００は、携帯情報端末用ケース本体（以下、単に「ケース本体」という。）１１０を有し、ケース本体１１０は、端末２００に装着して使用することを目的とする、端末２００の附属品（ケース・カバー類）である。また、端末２００は、所謂スマートフォンやタブレット型端末であり、各メーカーから種々の端末２００が販売されているが、ケース本体１１０が装着可能な端末２００の仕様に限定は無い。つまり、ケース本体１１０が端末２００に装着される方法は、一般的な携帯情報端末用ケースの装着方法と同じであり、ケース１００の技術的特徴は装着方式にはない。
【００１２】
ケース本体１１０は、端末２００が備える表示装置２１０の設置面以外の面を覆う形態である。図１で示すように、端末２００は、略直方体の形状を成しているため、ケース本体１１０は、表示装置２１０の設置面を除く５つの面を覆う形態である。ケース本体１１０は、表示装置２１０の見やすさを損なわせないために、表示装置２１０設置面を覆わない。
【００１３】
図２で示すように、ケース１００（ケース本体１１０）では、端末２００に装着したとき表示装置２１０の裏側に位置する表面１２０上に、複数の人工宝石１３０が敷き詰められるように設置される。つまり、ケース本体１１０の表面１２０は、人工宝石１３０で覆われた状態となっている。なお人工宝石１３０とは、模倣宝石のことであって、合成宝石、人造宝石、模造宝石のうち、何れであっても良い。
【００１４】
図１で示すように、端末２００は略直方体の形状であり、ケース本体１１０が端末２００のカバーであることからも分かるように、ケース本体１１０の外形状も略直方体であるため、表面１２０の形状は略長方形である。
【００１５】
ここで、人工宝石１３０一つひとつは、種々の形状をしているが、平らな面上に人工宝石１３０を静置させた場合、上となる面を正面１４０と呼ぶ。そして図２で示すように、人工宝石１３０は、人工宝石１３０の正面１４０が、表面１２０が成す長方形の一の短辺方向を向き、かつ、表面１２０の斜め上方を向くように設置される。つまり、図３で示すように、人工宝石１３０は、表面１２０上において斜めに立ったような形態で設置される。こうすることで、ケース１００のデザインに立体感を演出することができる。
【００１６】
一方で、人工宝石正面１４０の形状が１つ又は２つの対称軸を備える場合がある。人工宝石１３０の正面形状が１つの対称軸を備える場合に、当該対称軸の向きを第一の向きとする。さらに、人工宝石１３０の正面形状が２つの対称軸を備える場合に、当該正面形状において各対称軸方向の長さが長くなる方の向きを第二の向きとする。そうした場合、人工宝石１３０は、各人工宝石１３０の第一の向き又は第二の向きが整列しないように設置される。つまり、人工宝石１３０は、人工宝石正面１４０の形状が備える対称軸が、表面１３０が成す長方形の長辺の向き（長手方向）に対し傾いた状態で表面１２０上に設置される。こうすることで、ケース１００のデザインに立体感・躍動感を演出することができる。
【００１７】
他方で、人工宝石１３０は、隣り合うものどうしの大きさ、色彩及び形状のうち何れかが異なるように、表面１２０上に設置される。こうすうことで、ケース１００のデザインの訴求力を増すことができる。
【００１８】
また、人工宝石１３０は、樹脂製であっても良い。ケース１００の重量を大きくしないためであり、それに伴い、ケース１００を装着した端末２００のユーザーによる持ち運びの負担を軽くすると共に、ケース１００の製作コストを低く抑えることができる。
【００１９】
上記のような構成を備えることにより、ケース１００は、ユーザー自身の美的感覚を刺激し所有欲を掻き立てると共に、所有することで、周囲に対しユーザーの美的感覚の高さをアピールすることができる。
（本実施の形態に係る携帯情報端末用ケースの使用方法）
【００２０】
以下、本実施の形態に係るケース１００の使用方法について説明する。ケース１００（ケース本体１１０）は、一般的な携帯情報端末用ケースと同様に、装着する端末２００の形状に合致し、ケースとしての用を成す形状をしている。そのため、ユーザーは、端末２００をケース１００（ケース本体１１０）の所定の部位（例えば、窪んでいる部位）に嵌め込むことによって、その位置で端末２００はケース１００に嵌着される。以後、ユーザーは、ケース１００を装着したままの状態で、端末２００を通常の使用方法に従って使用すれば良い。
【００２１】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２２】
１００  携帯情報端末用ケース
１１０  携帯情報端末用ケース本体
１２０  携帯情報端末用ケース本体の表面
１３０  人工宝石
１４０  人工宝石の正面
２００  携帯情報端末
２１０  携帯情報端末が備える表示装置
【図１】
0003184843.tif 000003
【図２】
0003184843.tif 000004
【図３】
0003184843.tif 000005